(57)【特許請求の範囲】
【請求項１】
コンテナ搬出入に関連する情報が記録され、コンテナトレーラに搭載される情報記録手段と、
複数のコンテナターミナルに付帯し、前記情報記録手段の読み取りを行う情報記録手段読取装置を有し、前記コンテナトレーラの通過確認処理をなすターミナルゲートと、
前記情報記録手段の読み取りを行う情報記録手段読取装置とゲート処理を行うレーン装置を有し、コンテナを搭載した搬入コンテナトレーラの看貫や、コンテナを搭載した搬出コンテナトレーラにおけるコンテナダメージチェック、コンテナ番号確認、シール確認といった受付処理、及び前記搬入コンテナトレーラに対する指示書印刷、並びに前記搬出コンテナトレーラに対するＥＩＲ印刷を行うために前記複数のコンテナターミナルで共有するプリゲートと、
予約情報の受付・管理やＩＤタグ管理を行う予約センタを構成する予約サーバと、コンテナや前記コンテナトレーラのデータ管理、及び前記予約サーバとの間で前記予約情報と前記プリゲートの情報記録手段によって読み取られた前記情報記録手段に記録された情報との照合とリンクを行って前記受付処理をなすゲートサーバとを有するデータセンタと、
前記ターミナルゲートと前記プリゲート、および前記データセンタを接続する通信回線と、を備えたことを特徴とするコンテナターミナル用プリゲート集中管理システム。
【請求項２】
前記プリゲートには直接入力による受付手段を設けて無予約コンテナトレーラの受付処理を可能としてなることを特徴とする請求項１記載のコンテナターミナル用プリゲート集中管理システム。
【請求項３】
前記プリゲートには搬出コンテナのダメージチェック検査手段を設けてなることを特徴とする請求項１記載のコンテナターミナル用プリゲート集中管理システム。
【発明の詳細な説明】
【技術分野】
【０００１】
本発明はコンテナターミナル用プリゲート集中管理システムに係り、特に、分散するコンテナターミナルの受付業務を集中化して一元管理し、搬出入受付処理および搬出コンテナのダメージチェックの効率化を図った２４時間対応のコンテナターミナル用プリゲート集中管理システムに関する。
【背景技術】
【０００２】
最近、コンテナを利用した貨物輸送が多量に行われており、海上輸送と陸上輸送の結束点に位置するコンテナターミナルにおける円滑なコンテナ処理の促進が望まれている。
従来のコンテナターミナルにおける作業を、コンテナ搬入作業を例にとって説明すれば次のように行われている。ターミナルゲート付近に控えている係員はトレーラ運転手から搬入票を受け取り、搬入票に書かれているコンテナ番号と実際に搬入されたコンテナ番号が一致しているか確認し、コンテナの外観や封印に異常がないかを検査し、その後に搬入票を運転手に返却する。ターミナル管理室に控えているオペレータはトレーラ運転手から搬入票を受け取り、引渡番号やコンテナ番号をオペレーションシステムに入力する。オペレーションシステムからコンテナの積置場所が記載されている機器受渡書（ＥＩＲ）もしくは指示書が発行され、オペレータはトレーラ運転手にＥＩＲを手渡す。トレーラ運転手は、ＥＩＲに記載されているヤード内の積置場所に移動し、コンテナの積み下ろしを行う。
【０００３】
このように、特にコンテナターミナルにおけるゲートの搬出入処理は人手によって貨物・書類の交換手続やコンテナ確認作業を行っている。コンテナ搬出入に利用されるトレーラの渋滞や、トレーラから排出される排気ガスの問題が取りざたされている。
【０００４】
このため、港運業者・荷主又は海貨業者・陸運業者間で、貨物の受け渡しに必要な情報を、インターネットを利用して事前に電子データ交換し、ターミナルゲートでの交換時間の短縮を図り、またデータの共有化による業務のシステム化を促進する方法（非特許文献１）が提案されている。また、高度道路交通システム（ＩＴＳ）を利用して、従来書類や手作業で行っていたターミナルゲートでの手続を電子化し、トレーラ、ゲート管理室、ゲート係員間の情報の受け渡しを、ＩＴＳで利用されている無線通信方式を用いて送受信することで、トレーラをゲートでノンストップ通過させるようにし、搬出入手続の効率化を実現しようとするものもある（非特許文献２）。
【非特許文献１】博多港コンテナ貨物ターミナル：全国初の「リライトカード・ゲートシステム」導入記事（福岡市港湾局港営物流企画課：H１５年７月２２日付報道機関向け発表資料）
【非特許文献２】石川島播磨技報  Ｖｏｌ．４３  No.３（２００３−５）
【発明の開示】
【発明が解決しようとする課題】
【０００５】
ところが、上記従来の方法では、港湾物流をより一層効率化する観点から、各ターミナルを２４時間フルオープンしようとすると、前者の場合には、各ターミナルのゲートにデータ交換のために個別に作業員を準備して対応させなければならず、コストがかかるとともに、ターミナルごとにトレーラが集中するため、渋滞をきたしている場合がある。後者の場合には、コンテナターミナルごとにノンストップゲートシステムを設備する必要があり、これも高コストの原因となってしまう問題がある。
【０００６】
本発明は、分散されているターミナルゲートを集中化することで、投資額を抑え、２４時間対応を実現し、ターミナルの円滑な物流を実現することができるコンテナターミナル用プリゲート集中管理システムを提供することを目的とする。
【課題を解決するための手段】
【０００７】
上記目的を達成するために、本発明に係るコンテナターミナル用プリゲート集中管理システムは、コンテナ搬出入に関連する情報が記録され、コンテナトレーラに搭載される情報記録手段と、複数のコンテナターミナルに付帯し、前記情報記録手段の読み取りを行う情報記録手段読取装置を有し、前記コンテナトレーラの通過確認処理をなすターミナルゲートと、前記情報記録手段の読み取りを行う情報記録手段読取装置とゲート処理を行うレーン装置を有し、コンテナを搭載した搬入コンテナトレーラの看貫や、コンテナを搭載した搬出コンテナトレーラにおけるコンテナダメージチェック、コンテナ番号確認、シール確認といった受付処理、及び前記搬入コンテナトレーラに対する指示書印刷、並びに前記搬出コンテナトレーラに対するＥＩＲ印刷を行うために前記複数のコンテナターミナルで共有するプリゲートと、予約情報の受付・管理やＩＤタグ管理を行う予約センタを構成する予約サーバと、コンテナや前記コンテナトレーラのデータ管理、及び前記予約サーバとの間で前記予約情報と前記プリゲートの情報記録手段によって読み取られた前記情報記録手段に記録された情報との照合とリンクを行って前記受付処理をなすゲートサーバとを有するデータセンタと、前記ターミナルゲートと前記プリゲート、および前記データセンタを接続する通信回線と、を備えなるものである。
【０００８】
この場合において、前記プリゲートには直接入力による受付手段を設けて無予約コンテナトレーラの受付処理を可能とし、あるいは前記プリゲートには搬出コンテナのダメージチェック検査手段を設けるようにできる。
【発明の効果】
【０００９】
プリゲートで複数のターミナルの受付を集中管理することができるので、各ターミナルの本ゲートでの受付を無くすことができる。したがって、ＩＤタグ等の情報記録手段（ＩＤタグ等という。）利用し、プリゲートでの受付は事前に予約センタ（ローカル）に予約されたデータとの照合で完了、本ゲートではＩＤタグ等を読むことで、トレーラの通過を確認する。これによって、プリゲートで搬出入の集中管理を行うこと、情報記録手段を利用して複数のターミナル受付をプリゲートにて無人で行うことにより、また、本ゲートでは確認のみで通過させるので、効率が非常に高くなる。
【００１０】
プリゲートに集中化することで、処理の簡素化が図れる。また、プリゲートに集中化することで、各ターミナルが同様の設備を持つ必要がなく、投資が少なくなる。ゲートの繁閑に合わせて処理レーン、処理人数を減らせるので、２４時間対応についても十分な効果が期待できる。ウェブを使った予約システムの構成とすることによりコンテナと情報の一元管理ができ、ターミナル業務の効率化が図れる。
【発明を実施するための最良の形態】
【００１１】
以下に、本発明に係るコンテナターミナル用プリゲート集中管理システムの具体的実施形態を、図面を参照して、詳細に説明する。
図１は実施形態に係るコンテナターミナル用プリゲート集中管理システムを備えた施設の平面図であり、図２は全体システムの構成ブロック図である。
【００１２】
コンテナを利用した港湾物流のための設備では、港湾領域における複数の道路沿いに、図１に示しているように、複数のコンテナターミナル１０（１０Ａ、１０Ｂ、………１０Ｆ）が分散して配置されている。このような複数のコンテナターミナル１０に対して、輸出入のために実入りコンテナ１２を搭載したトレーラ１４によって搬出入され、同じく荷降ろしや荷積みのために空トレーラ１６が出入りするようになっている。
【００１３】
当該実施形態に係るコンテナターミナル用プリゲート集中管理システムは、分散配置されている複数のターミナル１０に最もアクセスしやすい位置に、共通のプリゲート（以下、集中プリゲートという。）１８を設置し、この集中プリゲート１８にてグループ管理対象となっている複数のコンテナターミナル１０の受付処理を集中的に行うようにしている。この集中受付処理によって、各コンテナターミナルのゲート２０（２０Ａ、２０Ｂ，………２０Ｆ）での受付処理を無くし、もって、全体的な受付処理の迅速化を行うようにしたものである。
【００１４】
このため、集中プリゲート１８は、図示の例では、複数のアクセス道路２２、２４に沿って各々分散配置されているコンテナターミナル１０に対し、アクセス道路２２，２４の合流域の道路２６沿いに配置され、行き先ターミナルの如何に関わらず、集中して受付処理ができる位置に設置されている。
【００１５】
集中プリゲート１８には、電算処理室２８とブースレスゲートシステム３０を設置する。ブースレスゲートシステム３０は、ドライバがゲート処理のためトレーラ１４，１６から降車せず処理ができるドライブスルー方式のレーン装置３１と、電算処理室２８での遠隔データ処理可能なシステムとからなる。
【００１６】
このシステムを実現するために、コンテナトレーラ１４，１６には、ＩＤタグ３２その他の情報記録手段を搭載するようにしている。ＩＤタグ３２にはコンテナ情報、予約情報、トレーラ情報などのコンテナ搬出入に関連する情報を記録しておけばよい。当該ＩＤタグ３２に対する具体的な記憶内容としては、まず、タグ製造時におけるＩＤタグ自体の固有のＩＤ番号を記録させる。また、コンテナ搭載シャーシＩＤが、例えば、５桁のシャーシ番号でＭＫ００１、ドライバ固有のＩＤなどと記録される。更に、１２桁のコンテナ番号が記録される。これは通常、１１桁のコンテナ番号が用いられるが、特殊なケースで１２桁を使用している場合に対応させるために桁数を増加している。そして、通常１桁の受付完了データが記録される。
【００１７】
なお、実施形態の場合には、ドライバがＩＤタグ、リライトカードなどの情報記録手段を持参していない場合の補助としてタッチパネルなどの入力装置から予約番号等の情報を入力する仕組みを設けるようにしている。
【００１８】
前記集中プリゲート１８に設けたドライブスルー方式のレーン装置３１は、ターミナル１０へ搬出入のために受付に来たドライバがトレーラ１４，１６から降車せずに操作できるようにした装置であり、複数の搬入レーンのそれぞれに上述したＩＤタグ３２のリーダライタ、ＩＤタグ３２に代わるリライトカードのためのリーダライタ、ＩＤタグ３２やリライトカードを持参していない場合の入力手段としてのタッチパネルなどが装備される。また、レーン装置３１にはコンピュータが設置され、遠隔データ処理システムとの間で情報の送受信を行うようにしている。この遠隔データ処理システムは電算処理室２８内に装備され、ドライブスルー方式のレーン装置３１とＬＡＮで接続されており、ＩＤタグ３２からの入力情報を利用してゲートサーバ３４で直接処理するものと、クラーク端末３６で処理されるものがある。ゲートサーバ３４は搬出入の受付け、データ管理、並びにコンテナダメージ情報など、コンテナ１２・トレーラ１４，１６側の情報のデータ処理を行う。
【００１９】
一方、搬出入予約センタ３８を構成している管理サーバ（予約サーバ）４０が前記電算処理室２８のゲートサーバ３４とＬＡＮ接続されている。予約センタ３８はインターネットなどのデータ通信網４２を通じて荷主や陸運会社、あるいは船会社などの顧客端末４４から予約情報を受付ける。
【００２０】
前記管理サーバ４０で処理されるものは、事前に予約情報が入っている場合には自動的に処理される。予約がない場合には、ＩＤタグ３２などからの情報とデータセンタにある情報の整合性チェックをクラークが行う。必要に応じクラークがＩＤタグなどにデータを追記する。
【００２１】
また、コンテナターミナル用プリゲート集中管理システムには、統一ゲートシステムが装備され、これは分散されたターミナルからのゲート搬出入情報を管理処理するシステムとして構成されている。このため、統一ゲートシステムは、各ターミナルとは光ケーブル４６を用いた広域ネットワークを介してデータの授受を行う。これらを統合しているのがデータセンタ４８である。搬出入予約センタ３８はＷＥＢを介して搬出入の予約情報のデータ受付及びＩＤとの紐付け管理を行い、統一ゲートシステムとデータ通信を行う。データセンタ４８としては、図２に示しているように、搬出入予約センタ３８と統一ゲートシステムに併合させたものでもよく、あるいは分散配置させてもよい。
【００２２】
一方、各ターミナル１０では、ターミナルゲート２０に情報記録手段読取装置（ＩＤタグのリーダ、リライトカードリーダなど）５０およびその認識カメラ（図示せず）を設置している。これによって、ターミナルゲート２０側では受付け処理をすることなく、各トレーラ運転手の持つ情報記録手段（ＩＤタグ、リライトカードなど）およびトレーラの車番（ナンバープレートに記載のライセンス番号）を自動認識してゲート２０を通過させる。
【００２３】
輸出などのために実入りコンテナ１２を搬入する場合と陸揚げされた実入りコンテナ１２を搬出する場合について図３，４のフローを参照して説明する。
実入りコンテナ１２を搬入する場合のフローは次のようになる。すなわち、事前処理として、顧客端末４４を通じてデータセンタ４８の予約センタ３８に搬入予約をする。これにはＥＣＤ情報や搬入票情報などを送信して予約処理を完了しておく。このような予約処理を行った後、搬入データを記録したＩＤタグ３２をドライバに持たせ、実入りコンテナ１２を搭載したトレーラ１４をターミナル１０に向かわせる。トレーラ１４は予約しているターミナルに直接向かうのではなく、集中プリゲート１８に最初に入って受付け処理を行う。集中プリゲート１８では、ＩＤタグ３２からデータを読み取るとともにコンテナ番号などを自動認識装置で読み取って電算処理室２８のゲートサーバ３４に送信する。ゲートサーバ３４は予約サーバ４０との間で予約情報とタグ情報の照合とリンクを行って受付け処理を行う。これが完了すると、指示書印刷を行ってトレーラ１４のドライバに渡し、ゲートサーバ３４から作業指示データを仕向け先のターミナル１０におけるターミナルシステムに作業順序などのデータを送信する。各ターミナル１０のゲート２０では単にトレーラ１４の通過を確認し、指示書に従った番地で向かってコンテナ１２を搬入設置するのである。これにより、ターミナルゲート２０でトレーラ１４の確認さえできれば単に通過させることができ、ターミナルゲート２０での渋滞を招くことはない。
【００２４】
また、空トレーラ１６をターミナル１０に派遣して実入りコンテナ１２を搬出する場合は次のように行われる。図４に示すように、空トレーラ１６は、最初に集中プリゲート１８にて、受付け処理を行う。ゲートの受付処理はデータセンタ４８で行われ、受付が終了すると情報記録手段（ＩＤタグ、リライトカードなど）に情報が書き込まれる。受付後のトレーラ１４，１６は、情報記録手段（ＩＤタグ、リライトカードなど）を持ち、各ターミナル１０へ移動する。コンテナ１２を受け取ったトレーラは、ターミナルゲート２０を通過し、集中プリゲート１８へ行く。集中プリゲート１８で、コンテナ１２のダメージチェックを行い、その後トレーラはＥＩＲを受け取り、集中プリゲート１８を出て行く。
このようなシステムは、ＷＥＢなどを使った搬出入予約システムとの連携により、上記処理がさらに円滑化される。
【産業上の利用可能性】
【００２５】
本発明は、港湾におけるコンテナターミナルの物流システムとして利用でき、港湾の２４時間フルオープンシステムとして応用が可能である。
【図面の簡単な説明】
【００２６】
【図１】実施形態に係るコンテナターミナル用プリゲート集中管理システムの構成を示す模式構成図である。
【図２】実施形態の全体システムの構成ブロック図である。
【図３】実入りコンテナの搬入処理フロー図である。
【図４】実入りコンテナの搬出処理フロー図である。
【符号の説明】
【００２７】
１０………コンテナターミナル、１２………コンテナ、１４………コンテナ搭載トレーラ、１６………空トレーラ、１８………プリゲート、２０………ターミナルゲート、２２，２４………アクセス道路、２６………合流域道路、２８………電算処理室、３０………ブースレスゲートシステム、３２………ＩＤタグ、３４………ゲートサーバ、３６………クラーク端末、３８………予約センタ、４０………管理サーバ（予約サーバ）、４２………データ通信網、４４………顧客端末、４６………光ケーブル、４８………データセンタ、５０………情報記録手段読取装置。
【図１】
0004736080.tif 000002
【図２】
0004736080.tif 000003
【図３】
0004736080.tif 000004
【図４】
0004736080.tif 000005